(57)【要約】      （修正有）【課題】例えば磁気に影響を受ける他の電子機器を備えている場合には、入力ペンから発生する磁気を所定の間だけ遮断して、他の電子機器の動作を阻害しない座標入力装置及び入力ペンを提供する。【解決手段】入力ペン１０と座標入力ユニット１２とからなる座標入力装置であり、入力ペン１０は電磁石を備え、座標入力ユニット１２は磁界の状態を検出する磁気センサを複数備え、磁気センサが電磁石から発生する磁気を検出することにより、電磁石の座標情報を取得する座標入力装置において、入力ペン１０には、電磁石によって発生される磁気を所定の間だけ遮断することができる電力遮断装置を備える。【選択図】図１
2015041303.tif 000002
【特許請求の範囲】
【請求項１】
入力ペンと座標入力ユニットとからなる座標入力装置であり、前記入力ペンは磁気発生手段を備え、前記座標入力ユニットは磁界の状態を検出する磁気センサを複数備え、前記磁気センサが前記磁気発生手段から発生する磁界の状態を検出することにより、前記磁気発生手段の座標情報を取得する座標入力装置において、
前記入力ペンには、前記磁気発生手段によって発生される磁気を所定の間だけ遮断することができる磁気遮断手段を備える、ことを特徴とする座標入力装置。
【請求項２】
前記座標入力ユニットには、他の電子部品が設けられており、前記磁気発生手段による磁気が前記他の電子部品の目的とする動作を阻害する間だけ、前記磁気遮断手段を動作させる、ことを特徴とする請求項１に記載の座標入力装置。
【請求項３】
前記他の電子部品は地磁気センサであり、前記地磁気センサの出力を利用するときには前記磁気遮断手段が自動的に動作する、ことを特徴とする請求項２記載の座標入力装置。
【請求項４】
前記入力ペンには受信手段を備え、前記座標入力ユニットには送信手段を備え、前記地磁気センサの出力を利用するときには、前記送信手段から信号が前記受信手段に向けて送信されて、前記磁気遮断手段が動作する、ことを特徴とする請求項３に記載の座標入力装置。
【請求項５】
前記地磁気センサによって方角情報を取得することを特徴とする請求項４の座標入力装置。
【請求項６】
前記磁気発生手段は電磁石であり、前記磁気遮断手段は電力遮断装置であることを特徴とする請求項１ないし請求項４のいずれかに記載の座標入力装置。
【請求項７】
前記電力遮断装置はスイッチ装置であることを特徴とする請求項６に記載の座標入力装置。
【請求項８】
前記磁気発生手段は永久磁石であり、前記磁気遮断手段は磁気を遮断する部材からなるとともに前記永久磁石を覆うことができる形状であり、前記永久磁石を覆う状態と前記永久磁石を露出させる状態とに切り替えることができることを特徴とする請求項１または請求項２に記載の座標入力装置。
【請求項９】
請求項１から請求項８のいずれかに記載の座標入力装置に使用する入力ペンであって、前記磁気発生手段と、前記磁気発生手段によって発生される磁気を所定の間だけ遮断することができる磁気遮断手段と、を備えることを特徴とする入力ペン。
【発明の詳細な説明】
【技術分野】
【０００１】
本発明は、座標入力装置に関し、特に、磁気式の座標入力装置及び入力ペンに関する。
【背景技術】
【０００２】
昨今、スマートフォン等の携帯電話では電気的に座標情報を読み取る入力装置が使われることが多い。スマートフォンにおいては、高機能化に伴い、多種類のセンサを搭載する必要がある。
【０００３】
今後、スマートフォンの高機能化に伴い、多種類のセンサの機能に影響を与えない座標入力装置が求められている。
【０００４】
従来の座標入力装置としては、特許文献１に記載の磁気式の座標入力装置が知られている。
【０００５】
以下、図７、図８および図９を用いて、特許文献１に記載の磁気式のペン入力による座標入力装置について説明する。座標入力装置は、入力ペン９００と座標入力ユニットとからなる。図７は、入力ペン９００を説明する図である。図８は座標入力ユニットの磁気センサの配置を説明する図である。図９は座標入力ユニットの情報処理系を説明する図である。
【０００６】
特許文献１に記載の磁気式のペン入力による座標入力装置は、図７、図８及び図９に示すように、磁性材料からなる芯９０４並びに芯９０４の端に当接する磁石９０２と、芯９０４をペン先として端部に固定するペンの外殻９０６と、３方向の磁気ベクトルを検出するようにＸＹＺ方向に固定された３つの磁気センサからなる第１のセンサ群９１０と、３方向の磁気ベクトルを検出するようにＸＹＺ方向に固定された３つの磁気センサからなる第２のセンサ群９２０と、１つ目と２つ目のセンサ群の直線上に重ならない位置に配置された３方向の磁気ベクトルを検出するようにＸＹＺ方向に固定された３つの磁気センサからなる第３のセンサ群９３０と、第１のセンサ群９１０、第２のセンサ群９２０及び第３のセンサ群９３０の磁気センサと電気的に接続したマルチプレクサ９４０と、マルチプレクサ９４０と電気的に接続したアナログデジタル変換回路９５０と、アナログデジタル変換回路９５０と電気的に接続したＣＰＵ９６０からなる。
【０００７】
第１のセンサ群９１０、第２のセンサ群９２０及び第３のセンサ群９３０の配置の一例として、正方形の角の３つに配置したとき、図８に示すように、座標入力できる有効範囲は、正方形の内側の領域となる。
【先行技術文献】
【特許文献】
【０００８】
【特許文献１】米国特許第７１４５５５５号
【発明の概要】
【発明が解決しようとする課題】
【０００９】
しかしながら、座標入力装置にナビゲート機能を追加したいことがある。そのような場合には、方角情報を検出するために、例えば地磁気センサを設けることが行われるが、地磁気センサは入力ペンから発生する磁気の影響を受けると、正確な方角情報を検出できなくなる。一方、座標入力をするためには、入力ペンのような磁気を発生する装置で座標を指し示す必要がある。従来の磁気式の座標入力装置には、このような矛盾を解決するための工夫が無かった。
【００１０】
本発明は、上述した課題を解決して、例えば磁気に影響を受ける他の電子機器を備えている場合には、入力ペンから発生する磁気を所定の間だけ遮断して、他の電子機器の動作を阻害しない座標入力装置及び入力ペンを提供することを目的とする。
【課題を解決するための手段】
【００１１】
この課題を解決するために、請求項１に記載の座標入力装置は、入力ペンと座標入力ユニットとからなる座標入力装置であり、前記入力ペンは磁気発生手段を備え、前記座標入力ユニットは磁界の状態を検出する磁気センサを複数備え、前記磁気センサが前記磁気発生手段から発生する磁気を検出することにより、前記磁気発生手段の座標情報を取得する座標入力装置において、前記入力ペンには、前記磁気発生手段によって発生される磁気を所定の間だけ遮断することができる磁気遮断手段を備える、という特徴を有する。
【００１２】
また、請求項２に記載の座標入力装置は、前記座標入力ユニットには、他の電子部品が設けられており、前記磁気発生手段による磁気が前記他の電子部品の目的とする動作を阻害する間だけ、前記磁気遮断手段を動作させる、という特徴を有する。
【００１３】
また、請求項３に記載の座標入力装置は、前記他の電子部品は地磁気センサであり、前記地磁気センサの出力を利用するときには前記磁気遮断手段が自動的に動作する、という特徴を有する。
【００１４】
また、請求項４に記載の座標入力装置は、前記入力ペンには受信手段を備え、前記座標入力ユニットには送信手段を備え、前記地磁気センサの出力を利用するときには、前記送信手段から信号が前記受信手段に向けて送信されて、前記磁気遮断手段が動作する、という特徴を有する。
【００１５】
また、請求項５に記載の座標入力装置は、前記地磁気センサによって方角情報を取得する、という特徴を有する。
【００１６】
また、請求項６に記載の座標入力装置は、前記磁気発生手段は電磁石であり、前記磁気遮断手段は電力遮断装置である、という特徴を有する。
【００１７】
また、請求項７に記載の座標入力装置は、前記電力遮断装置はスイッチ装置である、という特徴を有する。
【００１８】
また、請求項８に記載の座標入力装置は、前記磁気発生手段は永久磁石であり、前記磁気遮断手段は磁気を遮断する部材からなるとともに前記永久磁石を覆うことができる形状であり、前記永久磁石を覆う状態と前記永久磁石を露出させる状態とに切り替えることができる、という特徴を有する。
【００１９】
また、請求項９に記載の入力ペンは、請求項１から請求項８のいずれかに記載の座標入力装置に使用する入力ペンであって、前記磁気発生手段と、前記磁気発生手段によって発生される磁気を所定の間だけ遮断することができる磁気遮断手段を備える、という特徴を有する。
【発明の効果】
【００２０】
請求項１の発明によれば、例えば磁気に影響を受ける他の電子機器を備えている場合には、入力ペンから発生する磁気を所定の間だけ遮断して、他の電子機器の動作を阻害しない、という効果を奏する。
【００２１】
請求項２の発明によれば、磁気発生手段による磁気が座標入力ユニットに悪影響を及ぼさない、という効果を奏する。
【００２２】
請求項３の発明によれば、地磁気センサの出力を利用するときにのみ、自動で、入力ペンから発生する磁気を遮断することができるので、地磁気センサに悪影響を及ぼさない、という効果を奏する。
【００２３】
請求項４の発明によれば、地磁気センサの出力を利用するときに、自動で通信を使って、入力ペンから発生する磁気を遮断することができるので、入力ペンの操作を妨げられることがない、という効果を奏する。
【００２４】
請求項５の発明によれば、地磁気センサが方角情報を検出するときに、自動で通信を使って、入力ペンから発生する磁気を遮断することができるので、地磁気センサで正しい方角情報を検出することができる、という効果を奏する。
【００２５】
請求項６の発明によれば、電磁石に供給される電力を遮断することで、入力ペンから発生する磁気を遮断することができる、という効果を奏する。
【００２６】
請求項７の発明によれば、スイッチ装置を使用して電磁石に供給される電力を遮断することにより、任意に、入力ペンから発生する磁気を遮断することができる、という効果を奏する。
【００２７】
請求項８の発明によれば、永久磁石を、所定の間だけ磁気遮断手段で覆うことにより、入力ペンから発生する磁気を遮断することができる、という効果を奏する。
【００２８】
請求項９の発明によれば、上記の座標入力装置に使用する入力ペンとしての機能を果たすことができる、という効果を奏する。
【００２９】
以上により、本発明によれば、磁気式の座標入力を可能とするとともに、磁気の影響を及ぼさせないときだけ入力ペンから発生する磁気を遮断することができる座標入力装置及び入力ペンを提供できる。
【図面の簡単な説明】
【００３０】
【図１】本発明の第１実施形態の座標入力装置１の上面図である。
【図２】第１実施形態の入力ペンの縦断面図である。
【図３】本発明の第２実施形態の座標入力装置２の上面図である。
【図４】第２実施形態の入力ペンの縦断面図である。
【図５】本発明の第３実施形態の座標入力装置３の上面図である。
【図６】第３実施形態の入力ペンの縦断面図である。
【図７】従来の入力ペンの縦断面図である。
【図８】従来の座標入力ユニットの磁気センサの配置の模式図である。
【図９】従来の座標入力ユニットの情報処理系の模式図である。
【発明を実施するための形態】
【００３１】
［第１実施形態］
以下に第１実施形態における座標入力装置１について説明する。
【００３２】
座標入力装置１は、図１に示すように、座標入力ユニット１２と入力ペン１０とを備えている。
図１は座標入力装置１の上面図である。図２は入力ペン１０の縦断面図である。なお、座標入力ユニット１２と入力ペン１０の形状は説明のために簡略に示したものであり、各種の電気製品に応じてその形状は変るものである。
【００３３】
入力ペン１０は、図１に示すように、座標入力面（仮想面１１）の一点に近づけることで、座標入力を可能にするための装置である。
【００３４】
座標入力ユニット１２は、図１及び図２に示すように、入力ペン１０による入力座標を検出するための装置である。本実施形態の場合、座標入力ユニット１２は、図１に示すように、座標入力の有効範囲に対して平行に配置された３つの磁気センサ１６ａ、１６ｂ、１６ｃを使用し、入力ペン１０が備える電磁石２０から発生する磁気を検出する。各磁気センサ１６ａ、１６ｂ、１６ｃがそれぞれに検出した磁界の状態の違いを解析することにより、３つの磁気センサからの距離がそれぞれ算出でき、結果として電磁石２０の位置（座標）を特定することが出来る。
【００３５】
（第１実施形態の入力ペン１０の構成）
入力ペン１０は、図２に示すように、電磁石２０と、電力遮断装置２２と、受信手段３０と、電力供給装置２４と、ケース２６とを備えている。
【００３６】
ケース２６は、入力ペン１０の外殻である。ケース２６は、樹脂からなり、電磁石２０をペン先となる位置に設け、電力遮断装置２２と電力供給装置２４を内包するとともに、入力操作に使用できるペンの形状をしている。なお、入力ペン１０の外殻として、強度を維持することの出来る部材であればよく、樹脂に限定されるものではない。また、ペンの外殻としての形状をしていれば良く、電磁石２０または電力遮断装置２２または電力供給装置２４は露出していても良い。
【００３７】
電磁石２０は、鉄の芯と不導体で被覆された金属の巻き線とを備え、入力ペン１０の先に固定されている。なお、芯は磁性材料であれば良く、鉄に限定されるものではない。また、巻き線は導電性の部材であれば良く、金属に限定されるものではない。また、電磁石２０は座標入力時に固定されていれば良く、座標入力時以外には動いてもよい。電磁石２０は、図２に示すように、電力遮断装置２２と電力供給装置２４と、同じ電気回路の中に配置され、電気的に接続されている。
【００３８】
電力遮断装置２２は、トランジスタを使ったスイッチ回路によって構成されている。なお、受信手段３０が特定の信号を受信したときに電力を供給することと遮断することを切り替えることができる装置であれば良く、トランジスタを使ったスイッチ回路に限定されるものではない。電力遮断装置２２がトランジスタを使ったスイッチ回路である場合、受信手段３０が電力を遮断させることを目的として送る制御信号は、電磁石２０へ供給される電力と比較して小さな電流からなる信号出力でよいため、入力ペン１０の電力消費を小さくすることができる。
【００３９】
受信手段３０は、ブルートゥース（Ｂｌｕｅｔｏｏｔｈ（登録商標））を備える受信装置であり、受信手段３０は、電力遮断装置２２と電気的に接続されている。なお、特定の信号を受信することができる装置であれば良く、ブルートゥース（Ｂｌｕｅｔｏｏｔｈ（登録商標））を備えた装置に限定されるものではない。また、受信手段３０は、電力遮断装置２２に動作させる目的の制御信号を伝えることができればよく、電力遮断装置２２と電気的に接続されていなくても良い。
【００４０】
電力供給装置２４は、二次電池と非接触式充電装置とを備える。なお、電力供給装置２４は電磁石２０を駆動させるだけの電力を供給することができる装置であれば良く、二次電池に限定されるものではない。また、二次電池を充電することができる装置であれば良く、非接触充電装置に限定されるものではない。また、充電装置は設けなくても良い。
【００４１】
（第１実施形態の座標入力ユニット１２の構成）
座標入力ユニット１２は、図１に示すように、磁気センサ１６ａ、１６ｂ、１６ｃと、地図情報取得装置４０と、送信手段４２と、地磁気センサ４４を備えている。
【００４２】
磁気センサ１６ａ、１６ｂ、１６ｃは、ホール素子であり、入力ペン１０が仮想面１１の内部を動く時、入力ペン１０から発する磁界の状態を検出する。磁気センサ１６ａ、１６ｂ、１６ｃは、図１に示すように、座標入力ユニット１２の角の近傍に配置されている。なお、入力ペン１０の磁界の状態を検出することができる装置であればよく、ホール素子に限定されるものではない。また、磁気センサ１６ａ、１６ｂ、１６ｃを配置する位置は、座標入力の有効範囲の角であればよく、座標入力ユニット１２の外形の角でなくとも良い。３つの磁気センサを使用する場合、最小の部品コストで、２次元の座標情報を検出することができる。
【００４３】
地図情報取得装置４０は、ナビゲート機能に必要な地図上の座標情報と、方角情報を取得するための装置である。地図上の座標情報は、複数の静止衛星等、地図に対して相対的に停止しながら基準となる座標情報を提供する装置と通信することで取得する。方角情報は、地磁気センサ４４を使って地磁気による磁界の状態を検出することで取得する。この種の測定装置の基本原理は周知であるため省略する。
【００４４】
送信手段４２は、ブルートゥース（Ｂｌｕｅｔｏｏｔｈ（登録商標））を備える送信装置である。なお、特定の信号を受信することができる装置であれば良く、ブルートゥース（Ｂｌｕｅｔｏｏｔｈ（登録商標））を備えた装置に限定しない。
【００４５】
（第１実施形態の作用）
次に、図１及び図２を用いて、座標入力装置１の作用について説明する。
【００４６】
電力供給装置２４は、図２が示すように電磁石２０へ電力を供給する。電磁石２０は、
電力が供給されている間、磁気を発生する。磁気センサ１６ａ、１６ｂ、１６ｃは、電磁石２０が発生する磁気を検出し、座標情報を検出する。
【００４７】
地図情報取得装置４０は、地磁気センサ４４を使って方角情報を取得するとき、送信手段４２を作動させるための制御信号を送る。送信手段４２は、地図情報取得装置４０から制御信号を受け取ると、特定の信号を送信する。受信手段３０は、特定の信号を受信したとき、電力遮断装置２２を動作させる目的の制御信号を送る。電力遮断装置２２は、受信手段３０から制御信号を受け取ったとき、トランジスタがオンからオフに動作して、電磁石２０へ供給される電力を遮断する。
【００４８】
したがって、本実施形態によれば、地図情報取得装置４０は、地磁気センサ４４を使って方角情報を取得するとき、電磁石２０から発生する磁気を遮断する目的の合図を送信手段４２へ送る。送信手段４２は地図情報取得装置４０から合図を受け取ると特定の信号を受信手段３０に向けて送信する。特定の信号を受信した受信手段３０は電力遮断装置２２に制御信号を送る。電力遮断装置２２は制御信号を受け取ると、電力供給装置２４から電磁石２０へ供給される電力を遮断する。電力の供給が絶たれると電磁石２０から磁気が発生しなくなる。電磁石２０から磁気が発生しなくなると、地磁気と電磁石２０から発生する磁気とが混じって検出されることがなくなるので、地図情報取得装置４０は地磁気のみを検出できるようになり、地図情報取得装置４０は方角情報を正確に測定することが出来るようになる。
【００４９】
以上により、本実施形態の座標入力装置１は、入力ペン１０と座標入力ユニット１２とからなる座標入力装置であり、入力ペン１０は電磁石２０を備え、座標入力ユニット１２は磁界の状態を検出する磁気センサを複数備え、磁気センサが電磁石２０から発生する磁気を検出することにより、電磁石２０の座標情報を取得する座標入力装置において、入力ペン１０に電磁石２０によって発生される磁気を所定の間だけ遮断することができる電力遮断装置２２を備えるので、例えば地磁気センサ４４を備えている場合には、入力ペン１０から発生する磁気を所定の間だけ遮断して、地磁気センサ４４の動作を阻害しない。
【００５０】
また、本実施形態の座標入力装置１は、座標入力ユニット１２には、他の電子部品が設けられており、電磁石２０による磁気が他の電子部品の目的とする動作を阻害する間だけ、電力遮断装置２２を動作させるので、電磁石２０による磁気が座標入力ユニット１２に悪影響を及ぼさない。
【００５１】
また、本実施形態の座標入力装置１は、座標入力ユニット１２には地磁気センサ４４が設けられており、地磁気センサ４４の出力を利用するときには電力遮断装置２２が自動的に動作するので、地磁気センサ４４の出力を利用するときにのみ、自動で、入力ペン１０から発生する磁気を遮断することができるので、地磁気センサ４４に悪影響を及ぼさない。
【００５２】
また、本実施形態の座標入力装置１は、入力ペン１０には受信手段３０を備え、座標入力ユニット１２には送信手段４２を備え、地磁気センサ４４の出力を利用するときには、送信手段４２から特定の信号が受信手段３０に向けて送信されて、電力遮断装置２２が動作するので、地磁気センサ４４の出力を利用するときに、自動で通信を使って、入力ペン１０から発生する磁気を遮断することができるので、入力ペン１０の操作を妨げられることがない。
【００５３】
また、本実施形態の座標入力装置１は、地磁気センサ４４によって方角情報を取得するので、地磁気センサ４４が方角情報を検出するときに、自動で通信を使って、入力ペン１０から発生する磁気を遮断することができるので、地磁気センサ４４で正しい方角情報を検出することができる。
【００５４】
また、本実施形態の座標入力装置１は、電磁石２０は電磁石であり、磁気遮断手段１８は電力遮断装置２２であるので、電磁石２０に供給される電力を遮断することで、入力ペン１０から発生する磁気を遮断することができる。
【００５５】
また、本実施形態の入力ペン１０は、座標入力装置１に使用する入力ペンであって、電磁石２０と、電磁石２０によって発生される磁気を所定の間だけ遮断することができる電力遮断装置２２と、を備えるので、座標入力装置１に使用する入力ペン１０としての機能を果たすことができる。
【００５６】
［第２実施形態］
以下に第２実施形態における座標入力装置２について説明する。
【００５７】
座標入力装置２は、図３に示すように、座標入力ユニット２１２と入力ペン２１０とを備えている。
図３は座標入力装置２の上面図である。図４は、入力ペン２１０の縦断面図である。なお、座標入力ユニット２１２と入力ペン２１０の形状は説明のために簡略に示したものであり、各種の電気製品に応じてその形状は変るものである。
【００５８】
入力ペン２１０は、図３及び図４に示すように、座標入力面（仮想面１１）の一点に近づけることで、入力操作の座標を指し示すための装置である。なお、受信手段３０が無いことと、スイッチ装置５０が有ること以外は第１実施形態で説明した構成と同じであり、同じ符号を用いて詳細な説明を省略する。
【００５９】
座標入力ユニット２１２は、図３に示すように、入力ペン２１０による入力操作の座標を検出するための装置である。なお、送信手段４２が無いこと以外は第１実施形態で説明した構成と同じであり、同じ符号を用いて詳細な説明を省略する。
【００６０】
（第２実施形態の入力ペン２１０の構成）
入力ペン２１０は、図４に示すように、スイッチ装置５０を備えている。
【００６１】
スイッチ装置５０は、自動復帰型の押しボタンスイッチであり、入力ペン２１０で座標入力操作をするときに握る位置に配置されており、操作者が入力ペン２１０を握ったときにスイッチ装置５０がオンとなり、電磁石２０に電力が供給される。なお、任意にオン／オフを切り替えることが出来るスイッチ装置であれば良く、自動復帰型の押しボタンスイッチに限定しない。また、配置する位置は入力ペン２１０の何処でも良く、握る位置に限定しない。スイッチ装置５０は、電磁石２０と電力供給装置２４と同じ電気回路の中に配置され、電気的に接続されている。
【００６２】
スイッチ装置５０が自動復帰型の押しボタンスイッチで、かつスイッチ装置５０を押したときに電磁石２０に電力が流れる場合、入力ペン２１０はスイッチ装置５０を押していない時には電力を供給しないので入力ペン２１０の電力を節約し易くなる。
【００６３】
スイッチ装置５０が、入力ペン２１０で座標入力操作をするときに握る位置に配置されている場合、入力操作とスイッチ装置５０の操作を同時に行うことが出来るため、入力操作の操作性が簡便になる。
【００６４】
（第２実施形態の作用）
次に、図３及び図４を用いて、座標入力装置２の作用について説明する。
【００６５】
スイッチ装置５０は、押したときにオンとなり、電気回路の構造を変えて電力を供給する。
【００６６】
スイッチ装置５０は、押すのを止めたときにオフになり、電気回路の構造を変えて電力を遮断する。
【００６７】
したがって本実施形態によれば、地図情報取得装置４０が方角情報を取得するとき、スイッチ装置５０を操作して電力を遮断すると、電磁石２０から磁気が遮断され、入力ペン２１０から発生する磁気が遮断される。入力ペン２１０から発生する磁気が遮断されると、ノイズとして検出される磁気が無くなるので、地図情報取得装置４０は方角情報を正確に測定することが出来るようになる。
【００６８】
以上により、本実施形態の座標入力装置２は、スイッチ装置５０を使用して電磁石２０に供給される電力を遮断することにより、任意に、入力ペン２１０から発生する磁気を遮断することができる。
【００６９】
本実施形態の座標入力装置２は、座標入力ユニット２１２が地磁気を検出して方角情報を取得する地図情報取得装置４０を含まないものであってもよい。たとえば、既存の電子機器のディスプレイに座標入力ユニット２１２を載置して、既存の電子機器に方角情報取得装置が内蔵されている場合、既存の方角情報取得装置が地磁気を検出する際に、スイッチ装置５０を使用して電磁石２０から発生する磁気を遮断することができる。
【００７０】
また、本実施形態の入力ペン２１０は、電磁石２０と、電磁石２０によって発生される磁気を所定の間だけ遮断することができる電力遮断装置２２と、を備えるので、座標入力装置２に使用する入力ペン２１０としての機能を果たすことができる。
【００７１】
［第３実施形態］
以下に第３実施形態における座標入力装置３について説明する。
【００７２】
座標入力装置３は、図５に示すように、座標入力ユニット３１２と入力ペン３１０とを備えている。
図５は座標入力装置３の上面図である。図６は入力ペン３１０の縦断面図である。
なお、座標入力ユニット３１２と入力ペン３１０の形状は説明のために簡略に示したものであり、各種の電気製品に応じてその形状は変るものである。
【００７３】
入力ペン３１０は、図５及び図６に示すように、座標入力面（仮想面１１）の一点に近づけることで、入力操作の座標を指し示すための装置である。
【００７４】
座標入力ユニット３１２は、図５に示すように、入力ペン３１０による入力操作の座標を検出するための装置である。なお、送信手段４２が無いこと以外は第１実施形態で説明した構成と同じであり、同じ符号を用いて詳細な説明を省略する。
【００７５】
（第３実施形態の入力ペン３１０の構成）
入力ペン３１０は、図６に示すように、永久磁石６０と、キャップ６２と、ケース６４を備えている。
【００７６】
ケース６４は、入力ペン３１０の外殻である。ケース６４は、樹脂からなり、永久磁石６０をペン先となる位置に設け、入力操作に使用できるペンの形状をしている。なお、入力ペン３１０の外殻として、強度を維持することの出来る部材であればよく、樹脂に限定されるものではない。
【００７７】
永久磁石６０はペン先に設けられている。永久磁石６０は、フェライト磁石からなるとともに入力ペン３１０の先端に固定されている。なお、永久磁石であればよく、フェライト磁石に限定しない。また、座標入力時に固定されていれば良く、座標入力時以外には動いてもよい。永久磁石６０がフェライト磁石である場合、陶器であるため、薬品耐性のあるペン先になる。
【００７８】
キャップ６２はペン先を覆って磁力線を遮ることのできるキャップである。キャップ６２は、アモルファス磁性体からなるとともに、入力ペン３１０の先端を隙間無く覆う形状であり、任意に取り付けと取り外しができる。なお、磁力線が反対側へ透過し難い部材であれば良く、アモルファス磁性体に限定されるものではない。また、装着したとき磁力線が入力ペン３１０の外部に漏れない形状であれば良く、隙間があってもよい。
【００７９】
（第３実施形態の作用）
次に、図５及び図６を用いて、座標入力装置３の作用について説明する。
【００８０】
永久磁石６０は、磁気を発生する。
【００８１】
キャップ６２は、装着したとき、磁力線を入力ペン３１０の外に漏れなくする。
【００８２】
したがって本実施形態によれば、地図情報取得装置４０が方角情報を取得するとき、キャップ６２を装着すると、入力ペン３１０から発生する磁気が遮断される。入力ペン３１０から発生する磁気が遮断されると、ノイズとして検出される磁気が無くなるので、地図情報取得装置４０は方角情報を正確に測定することが出来るようになる。
【００８３】
以上により、本実施形態の座標入力装置３は、磁気発生手段は永久磁石６０であり、キャップ６２は磁気を遮断する部材からなるとともに永久磁石６０を覆うことができる形状であり、永久磁石６０を覆う状態と永久磁石６０を露出させる状態とに切り替えることができるので、永久磁石６０を、キャップ６２で覆うことにより、入力ペン３１０から発生する磁気を遮断することができる。
【００８４】
本実施形態の座標入力装置３は、電力が不要なので、電力切れの心配が無い。
【００８５】
本実施形態の座標入力装置３は、座標入力ユニット３１２が地磁気を検出して方角情報を取得する地図情報取得装置４０を含まないものであってもよい。たとえば、既存の電子機器のディスプレイに座標入力ユニット３１２を載置して、既存の電子機器に方角情報取得装置が内蔵されている場合、既存の方角情報取得装置が地磁気を検出する際に、キャップ６２を装着し、永久磁石６０から発生する磁気を遮断することができる。
【００８６】
また、本実施形態の入力ペン３１０は、永久磁石６０と、永久磁石６０によって発生される磁気を所定の間だけ遮断することができるキャップ６２と、を備えるので、座標入力装置３に使用する入力ペン３１０としての機能を果たすことができる。
【００８７】
以上のように、本発明の実施形態に関わる座標入力装置を具体的に説明したが、本発明は上記の実施形態に限定されるものではなく、要旨を逸脱しない範囲で種々変更して実施することが可能である。たとえば次のように変形して実施することができ、これらの実施形態も本発明の技術範囲に属する。
【００８８】
本実施形態において、第１実施形態、第２実施形態では座標入力ユニットの角部に磁気センサ１６ａ、１６ｂ、１６ｃを３つ配置しているが、磁気センサ１６ａ、１６ｂ、１６ｃは適当に離間して配置すれば、角部以外に配置しても良い。また特定の座標領域のみが対象であれば磁気センサを２つ配置するだけで電磁石２０の位置（座標）特定は可能である。また第３実施形態では永久磁石６０をキャップ６２で覆う構造を説明したが、永久磁石６０を動かすことで、磁気を遮断するようにしても良い。
【符号の説明】
【００８９】
１０    入力ペン
１１    仮想面
１２    座標入力ユニット
１６ａ、１６ｂ、１６ｃ    磁気センサ
１８    磁気遮断手段
２０    電磁石
２２    電力遮断装置
２４    電力供給装置
２６    ケース
３０    受信手段
４０    地図情報取得装置
４２    送信手段
４４    地磁気センサ
５０    スイッチ装置
６０    永久磁石
６２    キャップ
６４    ケース
２１０  入力ペン
２１２  座標入力ユニット
３１０  入力ペン
３１２  座標入力ユニット
【図１】
2015041303.tif 000003
【図２】
2015041303.tif 000004
【図３】
2015041303.tif 000005
【図４】
2015041303.tif 000006
【図５】
2015041303.tif 000007
【図６】
2015041303.tif 000008
【図７】
2015041303.tif 000009
【図８】
2015041303.tif 000010
【図９】
2015041303.tif 000011